(57)【要約】  【課題】  放電ランプの非装着を確実に検出できる放電灯点灯装置を提供する。  【解決手段】  蛍光ランプFL1，FL2をそれぞれ適切に装着していると、流通回路28に電流が流れる。抵抗R18には電圧V2が現れ、ツェナダイオードZD1は逆阻止状態を維持するため、電界効果トランジスタQ3のゲート電圧をそのまま印加するので、オン、オフ状態を維持し、インバータ回路25は動作を継続する。蛍光ランプFL1が適切に装着されていない場合、流通回路27を形成しないため、抵抗R18は電圧V1となる。ツェナダイオードZD1がオンし、トランジスタQ4，Q5がオンし、電界効果トランジスタQ3がオンしないようにして、インバータ回路25の発振を停止させる。  【選択図】図１
2005100716.tif 000002
【特許請求の範囲】
【請求項１】
直流電圧を出力する直流電圧源と；
フィラメントを有する放電ランプに交流電圧を印加して点灯させる放電灯点灯手段と；
直流電圧源からの直流電圧を放電灯点灯手段の出力に重畳させる直流供給手段と；
放電灯点灯手段の出力に重畳された直流電圧分を検出する直流電圧検出手段と；
放電灯点灯手段に放電ランプが接続されている状態ではフィラメントを介して直流電流を流通させる流通手段と；
直流電圧検出手段で検出された直流電圧分が所定値以上の場合に放電ランプの非装着を検出するランプ装着検出手段と；
を具備したことを特徴とする放電灯点灯装置。
【請求項２】
ランプ装着検出手段の所定値は、インピーダンス手段の電圧が放電ランプの不点および予熱の電圧のいずれかである
ことを特徴とする請求項１記載の放電灯点灯装置。
【請求項３】
直流電圧源の直流電圧を交流に変換してフィラメントを有する放電ランプを点灯させる放電灯点灯手段と；
放電灯点灯手段の高圧側の出力側に放電ランプとの間に接続された直流カット用の第１のコンデンサと；
放電灯点灯手段の低圧側の出力側に放電ランプとの間に接続された直流カット用の第２のコンデンサと；
放電ランプが装着されている状態で直流電圧源の正極側から放電ランプのフィラメントを介して直流が流通する流通手段と；
放電ランプの高圧側の直流電位に対応する直流電位を検出する第１の検出手段と；
放電ランプの低圧側の直流電位に対応する直流電位を検出する第２の検出手段と；
第１の検出手段で検出された電位および第２の検出手段で検出された直流電位を比較して放電ランプの非装着を判別する判別手段と；
を具備したことを特徴とする放電灯点灯装置。
【発明の詳細な説明】
【技術分野】
【０００１】
本発明は、放電ランプの装着を検出できる放電灯点灯装置に関する。
【背景技術】
【０００２】
従来、この種の放電灯点灯装置としては、直流電圧源に、直列に接続されたスイッチング素子を有するハーフブリッジ形のインバータ回路を接続し、低圧側のスイッチング素子に対して並列にフィラメントを有する放電ランプのフィラメントの一端を接続し、放電ランプの高圧側のフィラメントの他端と直流電圧源の正極との間にインピーダンス素子を接続し、放電ランプのフィラメントの一端間に検出用の抵抗を接続している。そして、放電ランプが装着されている場合には、インピーダンス素子から放電ランプの高圧側のフィラメントを介して検出用の抵抗に電流が流れるため、検出用の抵抗に電位が生ずる。一方、放電ランプが装着されていない場合には、インピーダンス素子から放電ランプの高圧側のフィラメントを介して電流が流れないため、抵抗に電位が生じない。そこで、抵抗の電位を検出することにより、放電ランプの装着および非装着を検出している（たとえば特許文献１参照）。
【特許文献１】特開平１０−３０２９８４号公報（特に、第３頁および図１）
【発明の開示】
【発明が解決しようとする課題】
【０００３】
しかしながら、上記従来技術では、放電ランプの点灯中に、放電ランプのフィラメントが取り外されても、放電ランプが非装着になったことを検出できない。
【０００４】
本発明は、上記問題点に鑑みなされたもので、放電ランプの非装着を確実に検出できる放電灯点灯装置を提供することを目的とする。
【課題を解決するための手段】
【０００５】
請求項１記載の放電灯点灯装置は、直流電圧を出力する直流電圧源と；フィラメントを有する放電ランプに交流電圧を印加して点灯させる放電灯点灯手段と；直流電圧源からの直流電圧を放電灯点灯手段の出力に重畳させる直流供給手段と；放電灯点灯手段の出力に重畳された直流電圧分を検出する直流電圧検出手段と；放電灯点灯手段に放電ランプが接続されている状態ではフィラメントを介して直流電流を流通させる流通手段と；直流電圧検出手段で検出された直流電圧分が所定値以上の場合に放電ランプの非装着を検出するランプ装着検出手段とを具備したもので、放電灯点灯装置の出力に直流電圧を重畳させることにより、放電ランプが装着されている場合、放電ランプの非点灯時には流通手段を介して直流電流が流通し、放電ランプの点灯時には放電ランプに電流が流れ、ランプ装着検出手段の直流分は所定値より小さくなり、放電ランプが非装着状態の場合、放電ランプの非点灯時には流通手段に電流が流れなくなり、放電ランプの点灯時には放電ランプに電流が流れなくなり、ランプ装着検出手段の直流電圧分は所定値以上になり、放電ランプの非装着を検出するので、放電ランプの点灯、不点あるいは予熱の状態でも放電ランプの非装着を検出する。
【０００６】
請求項２記載の放電灯点灯装置は、請求項１記載の放電灯点灯装置において、ランプ装着検出手段の所定値は、インピーダンス手段の電圧が放電ランプの不点および予熱の電圧のいずれかであるので、放電ランプの点灯、不点あるいは予熱の状態でも放電ランプの非装着を検出できる。
【０００７】
請求項３記載の放電灯点灯装置は、直流電圧源の直流電圧を交流に変換してフィラメントを有する放電ランプを点灯させる放電灯点灯手段と；放電灯点灯手段の高圧側の出力側に放電ランプとの間に接続された直流カット用の第１のコンデンサと；放電灯点灯手段の低圧側の出力側に放電ランプとの間に接続された直流カット用の第２のコンデンサと；放電ランプが装着されている状態で直流電圧源の正極側から放電ランプのフィラメントを介して直流が流通する流通手段と；放電ランプの高圧側の直流電位に対応する直流電位を検出する第１の検出手段と；放電ランプの低圧側の直流電位に対応する直流電位を検出する第２の検出手段と；第１の検出手段で検出された電位および第２の検出手段で検出された直流電位を比較して放電ランプの非装着を判別する判別手段とを具備したもので、放電ランプが装着されていないとフィラメントが接続されないため流通手段に直流電流が流れず放電ランプの装着時と比較して放電ランプの低圧側の直流電位が変化するため、判別手段は第１の検出手段で検出された直流電位および第２の検出手段で検出された直流電位を比較して放電ランプの非装着を判別できる。
【発明の効果】
【０００８】
請求項１記載の放電灯点灯装置によれば、放電ランプが非装着状態の場合、放電ランプの非点灯時には流通手段に電流が流れなくなり、放電ランプの点灯時には放電ランプに電流が流れなくなり、ランプ装着検出手段の直流電圧分は所定値以上になり、放電ランプの非装着を検出するので、放電ランプの点灯、不点あるいは予熱の状態でも放電ランプの非装着を検出できる。
【０００９】
請求項２記載の放電灯点灯装置によれば、請求項１記載の放電灯点灯装置に加え、放電ランプの点灯、不点あるいは予熱の状態でも放電ランプの非装着を検出できる。
【００１０】
請求項３記載の放電灯点灯装置によれば、放電ランプが装着されていないとフィラメントが接続されないため流通手段に直流電流が流れず放電ランプの装着時と比較して放電ランプの低圧側の直流電位が変化するため、判別手段は第１の検出手段で検出された直流電位および第２の検出手段で検出された直流電位を比較して放電ランプの非装着を判別できる。
【発明を実施するための最良の形態】
【００１１】
以下、本発明の放電灯点灯装置の一実施の形態の照明器具を図面を参照して説明する。
【００１２】
図１は放電灯点灯装置を示す回路図、図２は照明器具の外観を示す斜視図である。
【００１３】
図２に示すように、11は照明器具で、この照明器具11は逆富士形で器具本体12を有し、この器具本体12の下面には外方に向けて傾斜した反射面13が形成されている。また、これら反射面13，13の両端には、ランプソケット14，14が取り付けられ、これらランプソケット14，14間には、放電ランプとしての蛍光ランプFL1，FL2が電気的かつ機械的に取り付けられ、これら蛍光ランプFL1，FL2は図１に示す放電灯点灯装置21により点灯される。
【００１４】
また、放電灯点灯装置21は、商用交流電源ｅに整流手段としての全波整流回路を形成するダイオードD1〜D4で構成されたダイオードブリッジ22が接続され、このダイオードブリッジ22には昇圧チョッパ回路23が接続されている。この昇圧チョッパ回路23は、ダイオードブリッジ22の直流出力端子間に、インダクタL1およびスイッチング素子となるトランジスタQ1の直列回路が接続され、このトランジスタQ1にはダイオードD5およびコンデンサC1の直列回路が接続され、このコンデンサC1にはたとえば出力電圧４１０Ｖが蓄えられ、これらにて直流電圧源Ｅを構成している。また、トランジスタQ1には制御用の制御ＩＣ24が接続され、この制御ＩＣ24はコンデンサC2の両端に接続され、このコンデンサC2には整流用のダイオードD7およびダイオードD8の直列回路が接続され、ダイオードD7およびダイオードD8の接続点にはコンデンサC3が接続されている。
【００１５】
そして、直流電圧源Ｅには、コンデンサC1に対して並列に放電灯点灯手段としてのハーフブリッジ型のインバータ回路25が接続され、このインバータ回路25は２つの電界効果トランジスタQ2および電界効果トランジスタQ3が直列に接続されている。電界効果トランジスタQ2および電界効果トランジスタQ3の接続点には、可飽和形のトランスTr1の一次巻線Tr1aおよび直流カット用のコンデンサC5の直列回路が接続されている。また、電界効果トランジスタQ2のゲート、ソース間には、抵抗R1と、抵抗R2、コンデンサC6およびトランスTr1の二次巻線Tr1bの直列回路とが並列に接続されている。一方、電界効果トランジスタQ3のゲート、ソース間には、抵抗R3と、抵抗R4、コンデンサC7およびトランスTr1の二次巻線Tr1cの直列回路と、抵抗R5および起動用のコンデンサC8の直列回路とが並列に接続されている。なお、電界効果トランジスタQ3のドレイン、ソース間には、昇圧チョッパ回路23のコンデンサC3およびダイオードD8の直列回路の両端が接続されている。そして、直流電圧源Ｅの正極とコンデンサC5の間には、抵抗R7、抵抗R8および抵抗R9の直列回路で、インバータ回路25の出力端に直流電圧を印加して重畳する直流供給手段としての直流供給回路26が接続されている。
【００１６】
さらに、トランスTr1の一次巻線Tr1aおよびコンデンサC5の直列回路を介した低電位側である電界効果トランジスタQ3のドレイン、ソース間には、バラストチョークL2および直流カット用のコンデンサC9を介して負荷回路27に接続されている。なお、このコンデンサC9に対して並列に、抵抗R6および起動用のコンデンサC8が接続されている。また、抵抗R6およびコンデンサC8の接続点は、リセット用のダイオードD6を介して、電界効果トランジスタQ2および電界効果トランジスタQ3の接続点に接続されている。この負荷回路27は、蛍光ランプFL1および蛍光ランプFL2が直列に接続され、蛍光ランプFL1の一方のフィラメントFL1aの一端がバラストチョークL2に接続され、蛍光ランプFL2の他方のフィラメントFL2bの一端がコンデンサC9に接続されている。また、蛍光ランプFL1の他方のフィラメントFL1bと蛍光ランプFL2の一方のフィラメントFL2aはそれぞれ一端および他端が互いに接続され、蛍光ランプFL1の他方のフィラメントFL1bの一端と蛍光ランプFL2の一方のフィラメントFL2aの一端間には、コンデンサC10およびバラストチョークL2に磁気的に結合された予熱巻線L3が直列に接続されている。さらに、蛍光ランプFL1の一方のフィラメントFL1aの他端および他方のフィラメントFL1bの一端間には、抵抗R11および抵抗R12の直列回路が接続され、蛍光ランプFL2の一方のフィラメントFL2aの一端および他方のフィラメントFL2bの他端間には、抵抗R13および抵抗R14の直列回路が接続されている。
【００１７】
また、蛍光ランプFL1の一方のフィラメントFL1aの両端間にはコンデンサC11が接続され、蛍光ランプFL2の他方のフィラメントFL2bの両端間にはコンデンサC12が接続され、蛍光ランプFL1の一方のフィラメントFL1aの他端および蛍光ランプFL2の他方のフィラメントFL2bの他端間には、始動用のコンデンサC13が接続されている。そして、バラストチョークL2、蛍光ランプFL1の一方のフィラメントFL1a、抵抗R11、抵抗R12、蛍光ランプFL1の他方のフィラメントFL1b、蛍光ランプFL2の他方のフィラメントFL2a、抵抗R13、抵抗R14、蛍光ランプFL2の他方のフィラメントFL2bの直列回路により直流電流が流れる流通手段としての流通回路28が形成されている。
【００１８】
さらに、蛍光ランプFL1および蛍光ランプFL2の両端でインバータ回路25側となる蛍光ランプFL1の一方のフィラメントFL1aの一端側および蛍光ランプFL2の他方のフィラメントFL2bの一端間には、抵抗R16、抵抗R17および直流電圧検出手段となる抵抗R18の直列回路が接続され、抵抗R18に対して並列にコンデンサC15が接続され、抵抗R16、抵抗R17および抵抗R18の両端間に印加される直流電圧を分圧して抵抗R18で、蛍光ランプFL1および蛍光ランプFL2の両端間の電圧に対応する電圧とする。
【００１９】
そして、抵抗R18に対して並列に、この抵抗R18の電圧を検出するランプ装着検出手段29が接続されている。このランプ装着検出手段29は、抵抗R18にツェナダイオードZD1、ダイオードD8およびコンデンサC16の直列回路が接続され、このコンデンサC16に対して並列に抵抗R21および抵抗R22の直列回路が接続され、これら抵抗R21および抵抗R22の接続点にトランジスタQ4のベースが接続され、このトランジスタQ4のコレクタは電源Vccに接続され、エミッタはコンデンサC17を介して直流電圧源Ｅの負極に接続されている。また、コンデンサC17には、並列に抵抗R23および抵抗R24の直列回路が接続され、抵抗R23および抵抗R24の接続点にはトランジスタQ5のベースが接続され、トランジスタQ5のコレクタはダイオードD9を介して電界効果トランジスタQ3のゲートに接続され、エミッタは直流電圧源Ｅの負極に接続されている。
【００２０】
ここで、抵抗R18の両端間に現れる電圧について、図３ないし図６を参照して説明する。
【００２１】
まず、図３は図１に示す放電灯点灯装置21の簡易回路図で、図４は図３の放電ランプの非装着時を示す簡易回路図で、図５は図３の放電ランプの装着時で放電ランプが不点あるいは予熱状態を示す簡易回路図で、図６は図３の放電ランプの装着時で放電ランプが点灯状態を示す簡易回路図である。
【００２２】
図３に示すように、直流電圧源Ｅに抵抗R7、抵抗R8、抵抗R9、蛍光ランプFL1の一方のフィラメントFL1a、抵抗R11、抵抗R12、蛍光ランプFL1の他方のフィラメントFL1b、蛍光ランプFL2の一方のフィラメントFL2a、抵抗R13、抵抗R14、蛍光ランプFL2の他方のフィラメントFL2bおよび抵抗R6の流通回路28が接続され、蛍光ランプFL1の一方のフィラメントFL1aおよび蛍光ランプFL2の他方のフィラメントFL2b間には、抵抗R16、抵抗R17および抵抗R18の直列回路が接続され、抵抗R18に対して並列にコンデンサC15が接続され、抵抗R18の両端間電圧Ｖを検出するようにしている。
【００２３】
最初に、蛍光ランプFL1のフィラメントFL1a，FL1bまたは蛍光ランプFL2のフィラメントFL2a，FL2bのいずれか１つ以上が接続されていない場合について、図４を参照して説明する。
【００２４】
そして、蛍光ランプFL1のフィラメントFL1a，FL1bまたは蛍光ランプFL2のフィラメントFL2a，FL2bのいずれか１つ以上が接続されていない場合、すなわち蛍光ランプFL1および蛍光ランプFL2の双方が確実に接続されている場合以外には流通回路28は形成されず、図４に示すように、直流電圧源Ｅに抵抗R7、抵抗R8、抵抗R9、抵抗R16、抵抗R17および抵抗R18が接続された状態になり、直流電圧源Ｅの出力電圧はコンデンサC1に充電される電圧Vdcであり、抵抗R18の両端間電圧V1は、
V1＝Vdc×R18／（R7＋R8＋R9＋R16＋R17＋R18）
となり、抵抗R18の両端電圧が最も高くなる。
【００２５】
次に、蛍光ランプFL1および蛍光ランプFL2はともに確実に装着されているが、蛍光ランプFL1および蛍光ランプFL2がともに不点あるいは予熱の状態について、図５を参照して説明する。
【００２６】
直流電圧源Ｅからは直流電圧が印加されるので、蛍光ランプFL1のフィラメントFL1a，FL1bまたは蛍光ランプFL2のフィラメントFL2a，FL2bのいずれも等価的に抵抗として扱える。
【００２７】
そこで、図５に示すように、直流電圧源Ｅに抵抗R7、抵抗R8、抵抗R9、抵抗として機能する蛍光ランプFL1の一方のフィラメントFL1a、抵抗R11、抵抗R12、抵抗として機能する蛍光ランプFL1の他方のフィラメントFL1b、抵抗として機能する蛍光ランプFL2の一方のフィラメントFL2a、抵抗R13、抵抗R14、抵抗として機能する蛍光ランプFL2の他方のフィラメントFL2bおよび抵抗R6の流通回路28が接続され、蛍光ランプFL1の一方のフィラメントFL1aおよび蛍光ランプFL2の他方のフィラメントFL2b間には、抵抗R16、抵抗R17および抵抗R18の直列回路が接続された状態となる。なお、いずれのフィラメントFL1a、FL1b、FL2a、FL2bはいずれも等しい抵抗値となり、抵抗値をRfとする。また、フィラメントFL1a、FL1b、FL2a、FL2bの抵抗値は、他の抵抗R6，R7，R8，R9，R16，R17，R18の値に比べて限りなく小さい。そこで、抵抗R18の両端間電圧V2は、
R7＋R8＋R9＝Ra
R16＋R17＋R18＝Rb
Rf×４＋R11＋R12＋R13＋R14+R6＝Rc
Rc//Rb＝Rd
となり、
V2＝Vdc×Rd／（Ra＋Rd）×R18／Rb
となる。
【００２８】
さらに、蛍光ランプFL1および蛍光ランプFL2のいずれも装着されて、蛍光ランプFL1および蛍光ランプFL2のいずれもが点灯している状態について、図６を参照して説明する。蛍光ランプFL1および蛍光ランプFL2が点灯すると、蛍光ランプFL1および蛍光ランプFL2のインピーダンスが非常に小さくなり、抵抗R11および抵抗R12の直列回路と、抵抗R13および抵抗R14の直列回路との電流がバイパスされるとともに、蛍光ランプFL1のフィラメントFL1a，FL1bまたは蛍光ランプFL2のフィラメントFL2a，FL2bでの抵抗損失も非常に小さくなる。そこで、抵抗18の両端間電圧V3は、
R7＋R8＋R9＝Ra
R16＋R17＋R18＝Rb
Rf×４＝Rc
Rc//Rb＝Rd
となり、
V3＝Vdc×Rd／（Ra＋Rd）×R18／Rb
となり、RcがフィラメントFL1a，FL1b，FL2a，FL2bのみで非常に小さい値となり、Rdも小さい値となるので、V3は非常に小さい値になる。
【００２９】
したがって、蛍光ランプFL1および蛍光ランプFL2がともに不点または予熱時のいずれか高い場合の抵抗R18の両端間電圧と、蛍光ランプFL1のフィラメントFL1a，FL1bまたは蛍光ランプFL2のフィラメントFL2a，FL2bのいずれか１つ以上が接続されていない場合の抵抗R18の両端間電圧との間の電圧を閾値とし、この閾値を越えた場合に蛍光ランプFL1のフィラメントFL1a，FL1bまたは蛍光ランプFL2のフィラメントFL2a，FL2bのいずれか１つ以上が接続されていないと判断すればよい。
【００３０】
次に、図１に示す放電灯点灯装置21の動作について説明する。
【００３１】
まず、電源を投入すると、ダイオードブリッジ22で全波整流し、蛍光ランプFL1および蛍光ランプFL2がそれぞれ適切に装着されていると、抵抗R7、抵抗R8、抵抗R9の直流供給回路26を介してインバータ回路25に直流電圧を印加して重畳し、バラストチョークL2、蛍光ランプFL1の一方のフィラメントFL1a、抵抗R11、抵抗R12、蛍光ランプFL1の他方のフィラメントFL1b、蛍光ランプFL2の一方のフィラメントFL2a、抵抗R13、抵抗R14、蛍光ランプFL2の他方のフィラメントFL2bおよび抵抗R6の流通回路28に電流が流れ、起動用のコンデンサC8が充電される。
【００３２】
そして、このコンデンサC8が充電されると、制御ＩＣ24が十分に駆動される程度に電圧が上昇し、制御ＩＣ24によりトランジスタQ1をスイッチングさせてコンデンサC1に昇圧させた電圧を充電させる。
【００３３】
また、抵抗R7、抵抗R8、抵抗R9の直流供給回路26を介してインバータ回路25に直流電圧を印加して重畳し、バラストチョークL2、蛍光ランプFL1の一方のフィラメントFL1a、抵抗R11、抵抗R12、蛍光ランプFL1の他方のフィラメントFL1b、蛍光ランプFL2の一方のフィラメントFL2a、抵抗R13、抵抗R14、蛍光ランプFL2の他方のフィラメントFL2b、抵抗R6、抵抗R5の経路で電界効果トランジスタQ3が起動され、電界効果トランジスタQ3および電界効果トランジスタQ2が順次交互に、オン、オフされて、インバータ回路25が高周波交流を出力して、蛍光ランプFL1および蛍光ランプFL2を始動、点灯させる。そして、このインバータ回路25が動作を開始して，電界効果トランジスタQ3および電界効果トランジスタQ2がオン、オフすることにより、コンデンサC8の電荷をダイオードD6を介して放電する。
【００３４】
このように、蛍光ランプFL1および蛍光ランプFL2を始動する際に予熱する場合には、図５に示すように、抵抗R7、抵抗R8、抵抗R9の直流供給回路26を介してインバータ回路25の出力端に直流電圧を印加して重畳し、バラストチョークL2、蛍光ランプFL1の一方のフィラメントFL1a、抵抗R11、抵抗R12、蛍光ランプFL1の他方のフィラメントFL1b、蛍光ランプFL2の一方のフィラメントFL2a、抵抗R13、抵抗R14および蛍光ランプFL2の他方のフィラメントFL2bの流通回路28の経路で直流電流が流れて抵抗R18には電圧V2が現れるが、電圧V2ではツェナダイオードZD1は逆阻止状態を維持するため、トランジスタQ4にベース電流が供給されずトランジスタQ4はオフ状態を維持し、トランジスタQ5のベース電流も供給されずトランジスタQ5はオフ状態を維持する。このため、電界効果トランジスタQ3のゲート電圧はそのまま印加されるので、電界効果トランジスタQ3はオン、オフされる状態を維持し、インバータ回路25は動作を継続する。なお、蛍光ランプFL1または蛍光ランプFL2が不点の場合にも、抵抗R18は電圧V2となるため、インバータ回路25は動作を継続する。
【００３５】
さらに、蛍光ランプFL1および蛍光ランプFL2が点灯すると、図６に示すように、抵抗R18の電圧V3は０Ｖに近くなる。この場合にも、予熱と同様に、ツェナダイオードZD3は逆阻止状態を保持し、インバータ回路25は動作を継続し、蛍光ランプFL1および蛍光ランプFL2が点灯されている状態を維持する。
【００３６】
一方、蛍光ランプFL1のフィラメントFL1a，FL1bまたは蛍光ランプFL2のフィラメントFL2a，FL2bのいずれか１つ以上が接続されていない場合、抵抗R7、抵抗R8、抵抗R9の直流供給回路26でインバータ回路25の出力端に直流電圧を印加して重畳し、蛍光ランプFL1の一方のフィラメントFL1a、抵抗R11、抵抗R12、蛍光ランプFL1の他方のフィラメントFL1b、蛍光ランプFL2の一方のフィラメントFL2a、抵抗R13、抵抗R14、蛍光ランプFL2の他方のフィラメントFL2bおよび抵抗R6の直流電流が流れる流通回路28が形成されないため、コンデンサC1に対して並列に、抵抗R7、抵抗R8、抵抗R9、抵抗R16、抵抗R17および抵抗R18が接続された状態になり、抵抗R18は電圧V1となる。
【００３７】
この電圧V1では、ツェナダイオードZD1がオンし、トランジスタQ4のベースにベース電流が供給されてトランジスタQ4がオンし、トランジスタQ4がオンすることによりトランジスタQ5のベースにベース電流が供給されてトランジスタQ5がオンし、電界効果トランジスタQ3のゲート電圧をダイオードD9を介して低下させ、電界効果トランジスタQ3がオンしないようにして、インバータ回路25の発振を停止させる。
【００３８】
また、このようにインバータ回路25が発振を停止した場合、コンデンサC8には電荷が蓄えられないため、この状態では電界効果トランジスタQ3がオンできないので、インバータ回路25が発振を停止し昇圧チョッパ回路23も停止することにより、抵抗R18の電圧が低下するが、このように抵抗R18の電圧が低下しても、インバータ回路25が再起動してしまうことを防止する。なお、蛍光ランプFL1のフィラメントFL1a，FL1bまたは蛍光ランプFL2のフィラメントFL2a，FL2bの全てが接続されると、再びコンデンサC8が充電され、電界効果トランジスタQ3はオンすることが可能になり、インバータ回路25は再起動する。
【００３９】
上記実施の形態では、蛍光ランプFL1および蛍光ランプFL2を直列に接続しているため、蛍光ランプFL1および蛍光ランプFL2の両端の電圧に対応した電圧により制御しているが、それぞれの蛍光ランプFL1および蛍光ランプFL2の電圧に対応する電圧を検出してそれぞれの蛍光ランプFL1および蛍光ランプFL2に基づきインバータ回路25を制御してもよく、複数の蛍光ランプが並列に接続されている場合には、並列に接続されている蛍光ランプ毎に電圧を検出する必要がある。
【００４０】
また、蛍光ランプFL1の一方のフィラメントFL1aに対して並列にコンデンサC11が接続され、蛍光ランプFL2の他方のフィラメントFL2bに対して並列にコンデンサC12が接続されているが、これらコンデンサC11およびコンデンサC12に充電電流が流れても、直流電流により蛍光ランプFL1および蛍光ランプFL2の装着を検出しているため、蛍光ランプFL1あるいは蛍光ランプFL2が非装着の状態で誤動作によりインバータ回路25が動作することはない。
【００４１】
なお、上記実施の形態では、直流電圧源を用いているが、交流を整流して平滑したものなど、力率改善のためなどの目的で昇圧チョッパ回路を接続したものなど、結果的に直流あるいは脈流の電圧を印加するものであれば、いずれでも良い。
【００４２】
次に、他の実施の形態を図７を参照して説明する。
【００４３】
図７は他の実施の形態を示す放電灯点灯装置の回路図で、商用交流電源ｅにフィルタ回路31が接続され、このフィルタ回路31にダイオードブリッジなどの全波整流回路32の交流入力端子が接続され、この全波整流回路32の直流出力端子間に平滑用のコンデンサC21が接続され、直流電圧源Ｅとなる直流電源回路33を構成している。
【００４４】
また、直流電源回路33には、直流電圧を高周波交流に逆変換する放電灯点灯手段としてのハーフブリッジ型のインバータ回路34が接続されている。このインバータ回路34は、コンデンサC21に対して並列に、電界効果トランジスタQ11および電界効果トランジスタQ12が直列に接続され、これら電界効果トランジスタQ11および電界効果トランジスタQ12は制御回路35にて制御される。
【００４５】
そして、インバータ回路34は、低電位側の電界効果トランジスタQ12に負荷回路36が接続されている。この電界効果トランジスタQ12は、バラストチョークL11および直流カット用の第１のコンデンサC22を介して蛍光ランプFL1の一方のフィラメントFL1aの一端に接続されるとともに、直流カット用の第２のコンデンサC23を介して他方のフィラメントFL1bの一端に接続されている。
【００４６】
また、蛍光ランプFL1の一方のフィラメントFL1aに対して並列にコンデンサC24が接続され、他方のフィラメントFL1bに対して並列にコンデンサC25が接続され、フィラメントFL1aの他端およびフィラメントFL1bの他端間には始動用のコンデンサC26が接続されている。さらに、直流電圧源Ｅの正極と蛍光ランプFL1の一方のフィラメントFL1aの一端間には抵抗R31が接続され、コンデンサC26に対して並列に抵抗R32が接続されている。そして、抵抗R31、フィラメントFL1a、抵抗R32およびフィラメントFL1bで流通手段としての流通回路37が接続されている。
【００４７】
さらに、第１のコンデンサC22および蛍光ランプFL1の一方のフィラメントFL1aの一端間にこの直流電位を検出する第１の検出手段41が接続され、この第１の検出手段41は抵抗R33および抵抗R34の直列回路を有し、この抵抗R34に対して並列にコンデンサC26が接続されている。
【００４８】
また、第２のコンデンサC23および蛍光ランプFL1の他方のフィラメントFL1bの一端間にこの直流電位を検出する第２の検出手段42が接続され、この第２の検出手段42は抵抗R35および抵抗R36の直列回路を有し、この抵抗R36に対して並列にコンデンサC27が接続されている。
【００４９】
そして、抵抗R33および抵抗R34の接続点は判別手段を構成するコンパレータ43の非反転入力端子に接続され、抵抗R35および抵抗R36の接続点はコンパレータ43の反転入力端子に接続されている。
【００５０】
次に、上記実施の形態の動作について説明する。
【００５１】
商用交流電源ｅの交流電圧をフィルタ回路31を介して全波整流回路32で全波整流し、コンデンサC21で平滑してインバータ回路34に直流電圧を印加する。
【００５２】
まず、蛍光ランプFL1のフィラメントFL1aおよびフィラメントFL1bが装着されている場合には、コンデンサC21から流通回路37の抵抗R31、蛍光ランプFL1のフィラメントFL1a、抵抗R32およびフィラメントFL1bを介して第２の検出手段42に直流電圧が流れ、蛍光ランプFL1の低電位側に対応する直流電位を抵抗R36により検出する。
【００５３】
また、第１の検出手段41の抵抗R34には蛍光ランプFL1の高電位側の直流電位に対応する直流電位を抵抗R34により検出する。
【００５４】
そして、第１の検出手段41の出力と第２の検出手段42の出力をコンパレータ43で比較し、蛍光ランプFL1が装着され流通回路37に直流電流が流れる状態では、第２の検出回路42からの出力よりも、第１の検出回路41からの出力が低くなることによりコンパレータ43は反転出力をするように抵抗R34および抵抗R36の抵抗値を適切に設定しておく。これにより、コンパレータ43の出力は反転出力となり、制御回路35は通常通り電界効果トランジスタQ11および電界効果トランジスタQ12を交互に、オン、オフさせ、インバータ回路34により直流電圧源Ｅの直流電圧を逆変換させて高周波交流を発生させ、蛍光ランプFL1を始動、点灯させる。
【００５５】
一方、蛍光ランプFL1が装着されていないあるいは適切に装着されていない場合には、蛍光ランプFL1のフィラメントFL1aおよびフィラメントFL1bの少なくともいずれか一方が開放されている状態のため、流通回路37が形成されず、流通回路37には直流電流が流れないため、第２の検出手段42の抵抗R36には直流電圧は流れず、抵抗R36に直流による電位は発生しない。また、第１の検出手段41の抵抗R34の直流電圧が蛍光ランプFL1の装着時よりも上昇する。
【００５６】
これにより、コンパレータ43の出力は開放となり、制御回路35は電界効果トランジスタQ11および電界効果トランジスタQ12の動作を停止させ、インバータ回路34は出力を停止する。
【００５７】
次に、他の実施の形態の放電灯点灯装置を図８を参照して説明する。
【００５８】
図８はまた他の実施の形態の放電灯点灯装置を示す回路図で、基本的な構成は図７に示す放電灯点灯装置と同様であるが、抵抗R36を２つの分圧した抵抗R37および抵抗R38の直列回路とし、抵抗R38の両端にはトランジスタQ15のコレクタ、エミッタを接続し、このトランジスタQ15のベースを制御回路35に接続したものである。
【００５９】
そして、具体的な動作についても、基本的には図７に示す放電灯点灯装置と同様であるが、蛍光ランプFL1のいずれかのフィラメントFL1aまたはフィラメントFL1bでも外れていたことが検出された場合には、トランジスタQ15のベースにベース電流を供給し、トランジスタQ15をオンして抵抗R18をバイパスし、コンパレータ43の反転入力端子に入力される電圧を抵抗R37および抵抗R38の合成抵抗値から、抵抗R37の抵抗値のみとして、同じ直流電流が流れているとしても、コンパレータ43の反転入力端子に入力される電圧を低下させて、制御回路35が電界効果トランジスタQ11および電界効果トランジスタQ12を動作させてインバータ回路34を再び動作させることなく、一旦インバータ回路34を停止させた後には、インバータ回路34の停止を維持するようにさせている。
【００６０】
さらに、他の実施の形態の放電灯点灯装置を図９を参照して説明する。
【００６１】
図９はさらに他の実施の形態の放電灯点灯装置を示す回路図で、基本的な構成は図７に示す放電灯点灯装置と同様であるが、コンパレータ43に代えて判別手段としての判別回路44を設けている。この判別回路44は、抵抗R35および抵抗R36の接続点にトランジスタQ16のベースを接続し、このトランジスタQ16のエミッタを抵抗R33および抵抗R34の接続点に接続し、コレクタをトランジスタQ17のベースに接続し、このトランジスタQ17のコレクタ、エミッタを電源回路45に接続している。また、直流電圧源Ｅの正極から抵抗R41および定電圧用のツェナダイオードZD5を直列に接続し、このツェナダイオードZD5の両端にトランジスタQ17のコレクタ、エミッタを接続し、ツェナダイオードZD5の両端を制御回路35に接続して制御回路35の電源にしている。また、ツェナダイオードZD5のアノードに電源Vccを接続している。さらに、制御回路35には、トランジスタQ18のベースが接続され、トランジスタQ18のコレクタ、エミッタは、トランジスタQ17のベース、エミッタに接続されている。
【００６２】
そして、具体的な動作についても、基本的には図７に示す放電灯点灯装置と同様であるが、蛍光ランプFL1が適切に装着されている場合には、抵抗R33および抵抗R34の接続点の電圧よりも抵抗R35および抵抗R36の接続点の電圧が低いため、トランジスタQ16のベースは通電せず、トランジスタQ16はオンせず、トランジスタQ17のベースにベース電流を供給せず、トランジスタQ17はオフ状態のため、ツェナダイオードZD5に従い制御回路35には電力が供給される。さらに、制御回路35が動作することによりトランジスタQ18のベースにベース電流を供給し、トランジスタQ16がオンしてもトランジスタQ17のベース電流をトランジスタQ18でバイパスし、一旦、インバータ回路34が動作した後は、インバータ回路34が動作を続けるようにインバータ回路34の動作を維持させる。
【００６３】
一方、蛍光ランプFL1のいずれかのフィラメントFL1aまたはフィラメントFL1bでも外れていたことが検出された場合には、抵抗R35および抵抗R36の接続点の電圧が低下し、抵抗R33および抵抗R34の接続点が上昇し、抵抗R35および抵抗R36の接続点の電圧よりも抵抗R33および抵抗R34の接続点の電圧が高くなり、トランジスタQ16のベースに電流が流れ、トランジスタQ16がオンしてトランジスタQ17にベース電流を供給し、トランジスタQ17をオンして電源Vccの定電圧を維持するツェナダイオードZD5を短絡させ、制御回路35に電力を供給せず、インバータ回路34を動作させない。
【００６４】
またさらに、他の実施の形態の放電灯点灯装置を図１０を参照して説明する。
【００６５】
図１０はまたさらに他の実施の形態の放電灯点灯装置を示す回路図で、基本的な構成は図９に示す放電灯点灯装置と同様であるが、トランジスタQ18をなくして図８に示す放電灯点灯装置と同様に、抵抗R37および抵抗R38の直列回路とトランジスタQ15とを用いたものである。
【００６６】
そして、具体的な動作についても、基本的には図９に示す放電灯点灯装置と同様であるが、蛍光ランプFL1のいずれかのフィラメントFL1aまたはフィラメントFL1bでも外れていたことが検出された場合には、トランジスタQ15のベースにベース電流を供給し、トランジスタQ15をオンして抵抗R18をバイパスし、トランジスタQ16のベースをハイレベルにし、トランジスタQ16をオンしてトランジスタQ17にベース電流を供給し、トランジスタQ17をオンしてツェナダイオードZD5の両端を短絡を維持し、制御回路35の電源Vccをなくして、一旦インバータ回路34を停止させた後には、インバータ回路34の停止を維持するようにさせている。
【００６７】
さらに、他の実施の形態の放電灯点灯装置を図１１を参照して説明する。
【００６８】
図１１は蛍光ランプを２灯にした場合の放電灯点灯装置の一部を示す回路図で、蛍光ランプFL1および蛍光ランプFL2を直列に接続し、蛍光ランプFL1の一方のフィラメントFL1aの他端と他方のフィラメントFL1bの一端間に抵抗R42を接続し、蛍光ランプFL2の一方のフィラメントFL2aの一方のフィラメントFL1aの一端と他方のフィラメントFL2bの他端間に抵抗R43を接続している。また、バラストチョークL11に時期的に結合したインダクタL12を設けこのインダクタL12に対してコンデンサC28を直列に接続し、これらインダクタL12およびコンデンサC28の直列回路の両端に、蛍光ランプFL1の他方のフィラメントFL1bの一端と、蛍光ランプFL2の一方のフィラメントFL2aの一端とを接続し、蛍光ランプFL1の他方のフィラメントFL1bの他端と蛍光ランプFL2の一方のフィラメントFL2aの他端との間を接続している。さらに、蛍光ランプFL1の一方のフィラメントFL1aの他端と蛍光ランプFL2の他方のフィラメントFL2bの他端間にコンデンサC26を接続し、蛍光ランプFL2の他方のフィラメントFL2b間にコンデンサC25を接続している。そして、抵抗R31、蛍光ランプFL1の一方のフィラメントFL1a、抵抗R42、蛍光ランプFL1の他方のフィラメントFL1b、蛍光ランプFL2の一方のフィラメントFL2a、抵抗R43および蛍光ランプFL2の他方のフィラメントFL2bで流通回路37を形成している。
【００６９】
そして、具体的な動作についても、それぞれ図７ないし図１０と同様である。
【００７０】
また、他の実施の形態の放電灯点灯装置を図１２を参照して説明する。
【００７１】
図１２はまた他の実施の形態の放電灯点灯装置を示す回路図で、基本的な構成は図９に示す放電灯点灯装置と同様であるが、蛍光ランプFL1に接続されたコンデンサC24およびコンデンサC25を削除し、トランジスタQ16のコレクタおよびトランジスタQ17のベース間に逆流防止用のダイオードD11を接続するとともに、消灯信号を入力手段46およびダイオードD12を介してトランジスタQ17のベースに入力するようにしている。なお、ダイオードD11およびダイオードD12により、オア回路を形成している。
【００７２】
そして、具体的な動作についても、基本的には図９に示す放電灯点灯装置と同様であるが、消灯信号が入力手段46およびダイオードD12を介してトランジスタQ17に入力されると、トランジスタQ17のベースにベース電流が入力され、蛍光ランプFL1が適切に装着されていない場合と同様に、ツェナダイオードZD5を短絡する。したがって、別個の消灯のための手段を設けることなく、蛍光ランプFL1が装着されていない場合に、インバータ回路34の動作を停止させる回路により、インバータ回路34の動作を停止できる。
【００７３】
さらに、他の実施の形態の放電灯点灯装置を図１３を参照して説明する。
【００７４】
図１３はさらに他の実施の形態の放電灯点灯装置を示す回路図で、基本的な構成は図１０に示す放電灯点灯装置と同様であるが、図１２に示す放電灯点灯装置と同様に、消灯信号によりインバータ回路34の動作を停止できるようにしたものである。
【００７５】
なお、上記図７ないし図１３に示す放電灯点灯装置では、低電位側の電界効果トランジスタQ12の両端に負荷回路36を接続したが、高電位側の電界効果トランジスタQ11の両端に負荷回路36を接続してもよい。
【００７６】
また、蛍光ランプFL2の他方のフィラメントFL2bが低電位側の線に接触しても，コンデンサC9があることにより低周波電流が流れることもないので、回路にストレスを加えることがない。
【００７７】
さらに、図１２および図１３に示す放電灯点灯装置では、図１１に示す放電灯点灯装置に示すように、２灯にして用いても良く、コンデンサC24およびコンデンサC25を接続した構成でも良い。
【図面の簡単な説明】
【００７８】
【図１】本発明の放電灯点灯装置の一実施の形態を示す回路図である。
【図２】同上照明装置の外観を示す斜視図である。
【図３】同上図１に示す放電灯点灯装置の簡易回路図である。
【図４】同上図３の放電ランプの非装着時を示す簡易回路図である。
【図５】同上図３の放電ランプの装着時で放電ランプが不点あるいは予熱状態を示す簡易回路図である。
【図６】同上図３の放電ランプの装着時で放電ランプが点灯状態を示す簡易回路図である。
【図７】同上他の実施の形態を示す放電灯点灯装置の回路図である。
【図８】同上また他の実施の形態の放電灯点灯装置を示す回路図である。
【図９】同上さらに他の実施の形態の放電灯点灯装置を示す回路図である。
【図１０】同上またさらに他の実施の形態の放電灯点灯装置を示す回路図である。
【図１１】同上蛍光ランプを２灯にした場合の放電灯点灯装置の一部を示す回路図である。
【図１２】同上他の実施の形態の放電灯点灯装置を示す回路図である。
【図１３】同上さらに他の実施の形態の放電灯点灯装置を示す回路図である。
【符号の説明】
【００７９】
21    放電灯点灯装置
25，34    放電灯点灯手段としてのインバータ回路
26    直流供給手段としての直流供給回路
28，37    流通手段としての流通回路
29    ランプ装着検出手段
33    直流電圧源としての直流電源回路
41    第１の検出手段
42    第２の検出手段
43    判別手段としてのコンパレータ
44    判別手段としての判別回路
C22   第１のコンデンサ
C23   第２のコンデンサ
Ｅ    直流電圧源
FL1，FL2    放電ランプとしての蛍光ランプ
FL1a，FL1b，FL2a，FL2b    フィラメント
R18   直流電圧検出手段としての抵抗
【図１】
2005100716.tif 000003
【図２】
2005100716.tif 000004
【図３】
2005100716.tif 000005
【図４】
2005100716.tif 000006
【図５】
2005100716.tif 000007
【図６】
2005100716.tif 000008
【図７】
2005100716.tif 000009
【図８】
2005100716.tif 000010
【図９】
2005100716.tif 000011
【図１０】
2005100716.tif 000012
【図１１】
2005100716.tif 000013
【図１２】
2005100716.tif 000014
【図１３】
2005100716.tif 000015